【手続補正書】
【提出日】平成18年8月16日(2006.8.16)
【手続補正１】
【補正対象書類名】特許請求の範囲
【補正対象項目名】全文
【補正方法】変更
【補正の内容】
【特許請求の範囲】
【請求項１】
特性が一定でない通信媒体を用いた双方向又は単方向の電気通信プラットフォームのためのインフラストラクチャシステムであって、トランスポンダ、レピータ、カプラ装置及びアナログ信号利得器のいずれかを使用するインフラストラクチャシステムにおいて、
一定でありかつ安定している制限された周波数帯域の伝送特性と、帯域通過フィルタリングを伴う同軸伝送線路又はツイストペア伝送線路と同程度のノイズ特性とが、インフラストラクチャシステムのインタフェースに与えられる伝送線路に基づくシステムと、同様に動作するインフラストラクチャとなるように、前記通信媒体が総合的かつ大域的に調整され、
前記インフラストラクチャシステムのインタフェースは、任意の電気通信プラットフォームのディジタルアナログ変換物理層およびアナログディジタル変換物理層のいずれかを前記インタフェースに適合させ又はその中に含めることが可能なインタフェースであることを特徴とするインフラストラクチャシステム。
【請求項２】
基本的に伝送線路と同様の特性を有するケーブルモデム通信プラットフォームの物理層に接続するよう適合されていることを特徴とする請求項１に記載のインフラストラクチャシステム。
【請求項３】
前記システムは、
異なる信号経路の、補償され、均一化され又は消去されるべき変則性に依存する異なる装置配置のうちのいずれかを使用することによって、
信号の動的バランスをコントロールすることにより信号対雑音比と信号処理量を維持しながら、伝送線路と同様の性能を実現することを特徴とする請求項１に記載のインフラストラクチャシステム。
【請求項４】
前記システムは、
離れた経路間の全ての又は大部分の物理的地点において、能動的かつ動力が与えられる装置を使用することにより、伝送線路に基づくシステムと同様に動作させるための前記媒体の調整を容易にすることを特徴とする請求項１に記載のインフラストラクチャシステム。
【請求項５】
前記システムは、
離れた経路の適切な物理的地点に挿入された能動的かつ動力が与えられる装置を使用することにより、伝送線路に基づくシステムと同様に動作させるための前記媒体の調整を容易にすることを特徴とする請求項１に記載のインフラストラクチャシステム。
【請求項６】
前記システムは、電気通信物理層に相互接続されたときのようにアナログインターフェースを経由してアクセスされ得る能動的な装置を有することを特徴とする請求項１に記載のインフラストラクチャシステム。
【請求項７】
前記システムは、信号を同じ周波数帯で増幅し又は元と異なる周波数帯の信号に増幅するとき、双方向フィルタリング及び双方向スーパーヘテロダインミキシングによる適切な中間周波数において超再生増幅器又はスイッチイング再生増幅器を使用することを特徴とする請求項１に記載のインフラストラクチャシステム。
【請求項８】
前記システムは、
信号を同じ周波数帯で増幅し又は元と異なる周波数帯の信号に増幅するとき、媒体超再生増幅器又はスイッチイング再生増幅器を適切な中間周波数において使用し、
前記超再生増幅器及び前記スイッチイング再生増幅器は、１以上の周波数ミクサを通りかつ個別の入出力用の増幅器及びフィルタを通る分離した複数のポートを経て、媒体に接続され、かつ、１ポート又はマルチポートとしての前記媒体に接続され高周波におけるポート絶縁としての既存の減衰を利用する、
ことを特徴とする請求項１に記載のインフラストラクチャシステム。
【請求項９】
前記システムは、信号を同じ周波数帯で増幅し又は元と異なる周波数帯の信号に増幅するとき、超高速帯域を可能とするために、双方向フィルタリング及び双方向スーパーヘテロダインミキシングによる高い中間周波数において超再生増幅器又はスイッチイング再生増幅器を使用することを特徴とする請求項１に記載のインフラストラクチャシステム。
【請求項１０】
前記システムは、
信号を同じ周波数帯で増幅し又は元と異なる周波数帯の信号に増幅するとき、高い中間周波数において超再生増幅器を使用し、
前記超再生増幅器は、１以上の周波数ミクサを通りかつ個別の入出力用の増幅器を通る分離した複数のポートを経て、媒体に接続されている、
ことを特徴とする請求項１に記載のインフラストラクチャシステム。
【請求項１１】
前記システムは、信号を同じ周波数帯で増幅するとき、分離した複数のポートを経て媒体に接続される少なくとも２つの周波数ミクサと周波数フィルタリングによる適切な中間周波数において、スーパーヘテロダイン増幅を使用し、既存のポート絶縁を利用しかつ安定性を実現することを特徴とする請求項１に記載のインフラストラクチャシステム。
【請求項１２】
前記システムは、一般に使用される変調形式、時分割多重システム及び周波数分割多重システムに固有の周波数、位相及び増幅直線性に関する厳格な条件に適合した能動装置を使用することを特徴とする請求項１、７、８、９、１０又は１１に記載のインフラストラクチャシステム。
【請求項１３】
情報の帯域幅の維持が可能であることを特徴とする請求項１に記載のインフラストラクチャシステム。
【請求項１４】
他の媒体よりも十分に高い周波数帯域及びキャリア周波数の使用を容易にすることを特徴とする請求項１に記載のインフラストラクチャシステム。
【請求項１５】
高い直線性を必要とする変調方式を含む、多種の変調方式に適合可能であることを特徴とする請求項１に記載のインフラストラクチャシステム。
【請求項１６】
少なくとも四相位相変調、直交振幅変調、直交波周波数分割多重、符号分割多重接続及び直接拡散方式の１以上を含む変調方式に適合可能であることを特徴とする請求項１に記載のインフラストラクチャシステム。
【請求項１７】
標準イーサネット（登録商標）、ＤＯＣＳＩＳ、ＥＵＲＯＤＯＣＳＩＳ、８０２．１１ｘ、Ｗｉｍａｘ及びＧＳＭの１以上を含む、多種の電気通信標準プラットフォームの物理層に適合可能であり、同様に任意の独自の電気通信プラットフォームの物理層にも適合可能であることを特徴とする請求項１６に記載のインフラストラクチャシステム。
【請求項１８】
前記インフラストラクチャシステムのインタフェースと電気通信標準プラットフォームの物理層との間の周波数アップコンバージョン及び周波数ダウンコンバージョンによって、調節可能であることを特徴とする請求項１に記載のインフラストラクチャシステム。
【請求項１９】
損失があるケーブル及び接続不適合に起因するシステム固有の減衰を利用し、大域的に存在する能動的な補償と受動的な補償とによって、前記インフラストラクチャシステムを改善することを特徴とする請求項１に記載のインフラストラクチャシステム。
【請求項２０】
絶縁を内蔵する２ポート増幅器としての超再生レピータ又はスーパーヘテロダインレピータによって、固有のシステム減衰特性を使用し、システムの安定性とノイズ状態を維持することを特徴とする請求項１に記載のインフラストラクチャシステム。
【請求項２１】
前記システム媒体又は前記インストラクチャとして、電力線を使用することを特徴とする請求項１に記載のインフラストラクチャシステム。
【請求項２２】
前記システムは、電力線通信プラットフォームの物理層を含む、非標準的な独自の電気通信プラットフォームに適合可能であることを特徴とする請求項１に記載のインフラストラクチャシステム。
【請求項２３】
前記システムは、伝送線路に類似するインフラストラクチャとなるようにグリッドを大域的に調整することを容易にするために、配電盤と、ヒューズ盤と、配線箱と、配線接続と、接続箱と、ホストとして信号経路に沿って設けられた副局と、信号レピータのための電源と、カプラ装置と、を実際に全て含むことを特徴とする請求項１に記載のインフラストラクチャシステム。
【請求項２４】
前記システムは、地中埋設ケーブル（５３１、５３２）、空中設置ケーブル（５９２）及び裸線（４２０）のいずれかのうちのいずれかの導体を、少なくとも２つの導体を対として使用するディファレンシャルモードで使用することを特徴とする請求項１に記載のインフラストラクチャシステム。
【請求項２５】
前記システムは、
任意の電力グリッドケーブル又は電力グリッドワイヤの空中設置導体を使用し、
中電圧ケーブル、中電圧ワイヤ、高電圧ケーブル若しくは高電圧ワイヤを、超高周波キャリア周波数を用いる導波路モード又はレッヘルで使用する、
ことを含むことを特徴とする請求項１に記載のインフラストラクチャシステム。
【請求項２６】
高圧配電（５２６）、中電圧グリッド（５２７、５９１）、街灯グリッド及び制御グリッド（５２７、５２８）及び低電圧グリッド（５３１、５３２）のいずれかを使用することを含むことを特徴とする請求項１に記載のインフラストラクチャシステム。
【請求項２７】
電力グリッド内の全ての又は大部分の接続地点で能動的かつ動力が与えられる装置を使用することにより、伝送線路に基づくシステムと同様に動作させるための前記グリッドの調整を容易にすることを特徴とする請求項１に記載のインフラストラクチャシステム。
【請求項２８】
ケーブル接続又はワイヤ接続固有の減衰を使用して、共通の絶縁を有する多ポートを形成し、超再生式でありかつスーパーヘテロダイン式のレピータによって安定性とノイズ状態を維持することを特徴とする請求項１に記載のインフラストラクチャシステム。
【請求項２９】
少なくとも２つの高電圧又は中電圧の導体と接続するガルバニック絶縁差動カップリングを提供可能な磁気ループアンテナとして配置される、高電圧又は中電圧へのカプラを使用することを特徴とする請求項１に記載のインフラストラクチャシステム。
【請求項３０】
高電圧又は中電圧ケーブルのシールドを容量性カプラとして使用するように構成され、かつシールド接地部にフェライト製改良クランプ部材を使用し、好適にはシールド接地部から所定の距離だけ離れたシールドの外側にフェライト製改良トロイド部材を使用する、高電圧又は中電圧へのカプラを使用し、
信号接続が、グラウンドと、シールド端又は一方若しくは両方のフェライトに設けられた巻き線と、の間で行われる、
ことを特徴とする請求項１に記載のインフラストラクチャシステム。
【請求項３１】
２つの前記のシールドの配置を使用することにより、差動信号カップリングを提供して、信号電力転送及び信号ダイナミクスを改善し、放射を低減し、電磁波耐性を改善することを特徴とする請求項３０に記載のインフラストラクチャシステム。
【請求項３２】
エラスチモールド式のケーブルアセンブリ、又はこれと同様の高電圧システム若しくは中電圧システムの為のシールドされたケーブルアセンブリによる容量性電圧測定プローブを、信号カップリングに使用することを特徴とする請求項１に記載のインフラストラクチャシステム。
【請求項３３】
２つの前記のプローブ装置を使用することにより、差動信号カップリングを提供して、信号電力転送及び信号ダイナミクスを改善し、放射を低減し、エラスチモールド式又はこれと同様のシールドされたケーブルアセンブリの電磁波耐性を改善することを特徴とする請求項３２に記載のインフラストラクチャシステム。
【請求項３４】
エラスチモールド式の又は高電圧若しくは中電圧用のアセンブリの前記容量性高電圧測定プローブが有する高いインピーダンスと低いキャパシタンスによる損失を避けるための、整合装置を使用することを特徴とする請求項３３に記載のインフラストラクチャシステム。
【請求項３５】
ハイブリッドファイバー同軸ケーブルに類する手段の使用に適合されることにより、インフラストラクチャシステムへの頻繁なアクセス及びインフラストラクチャシステムへの結合のいずれかを実現し、これにより低電圧電力グリッドにおいて必要な通信距離及び利得カスケード長の低減を可能とすることを特徴とする請求項１に記載のインフラストラクチャシステム。
【請求項３６】
高電圧電力線又は中電圧電力線のいずれかの使用に適合されることにより、ハイブリッドファイバー同軸ケーブルに類する手段を補完し、ハイブリッドファイバー同軸ケーブルに類するノードの数を低減することを特徴とする請求項１に記載のインフラストラクチャシステム。
【請求項３７】
インフラストラクチャシステムの任意の点又は任意の箇所に、ディジタルアナログ変換物理層およびアナログディジタル変換物理層からなるマスター装置又はヘッドエンド装置が組み込みできるように適合されることを特徴とする請求項１に記載のインフラストラクチャシステム。
【請求項３８】
顧客装置用のレピータ又はトランスポンダが、顧客ヒューズ盤に又はその近くに設けられ、放射が低減され電磁波耐性が改善されることを特徴とする請求項１に記載のインフラストラクチャシステム。
【請求項３９】
供給ケーブル（５５７）上のカプラ（５５９）と送出ケーブル（５６６）上のカプラ（５６５）との間の信号をリンクするレピータ又はトランスポンダ（５６１）を使用することによって固有の減衰、反射及び不整合の影響を低減し、入力ポート（５５７）と出力ポート（５６２、５６６）との間、及び出力ポート間（５６２、５６６）の絶縁を提供するために配電及び接続システム（５５８、５６３）内の固有の減衰を使用する手段が、配電盤、配線箱、ヒューズ盤又はヒューズ箱内に設けられることを特徴とする請求項１に記載のインフラストラクチャシステム。
【請求項４０】
アナログファイバリンクと同様の目的を達成するために、互いにリンクされた副局を中電圧電力線（５２７、５９１）上に備えるように適合されることを特徴とする請求項１に記載のインフラストラクチャシステム。
【請求項４１】
前記システム内の変圧器及び副局のいずれかは、カプラ、トランスポンダ、レピータ、ケーブル、同軸ケーブル又は光ファイバケーブルのいずれかを経由する、高電圧側と中電圧側との間の信号のルーティングを容易にするように適合されていることを特徴とする請求項１に記載のインフラストラクチャシステム。
【請求項４２】
前記システム内の変圧器及び副局のいずれかは、カプラ、トランスポンダ、レピータ、ケーブル、同軸ケーブル又は光ファイバケーブルのいずれかを経由する、中電圧側と低電圧側との間の信号のルーティングを容易にするように適合されていることを特徴とする請求項１に記載のインフラストラクチャシステム。
【請求項４３】
変圧器であって、信号が前記変圧器を通過するための高周波ネットワークを成す高周波回路と等価な特性の変圧器、を利用し、かつ、
単相レール及び三相レールのいずれかを使用する変圧器部（６１１、６１６、６２０、６２２）と、前記変圧器の中性端子及び接地端子との間を結合する高浮遊容量を、外部カプラ（６３３）及びリアクタンス（６３０）と共に利用することにより、
前記変圧器の高電圧側と前記変圧器の低電圧側との間の信号のルーティングを容易にするように適合されていることを特徴とする請求項１に記載のインフラストラクチャシステム。
【請求項４４】
システム内のいずれかの位置（２０１）にあり、前記インフラストラクチャシステムのノードとしてのレピータ又はトランスポンダ（１９）と接続される、アンテナ（９５）を有するワイヤレスシステムノード（１２０）を含むことを特徴とする請求項１に記載のインフラストラクチャシステム。
【請求項４５】
前記イントラストラクチャシステムの前記ノードは、出力ノードであることを特徴とする請求項４４に記載のインフラストラクチャシステム。
【請求項４６】
前記イントラストラクチャシステムの前記ノードは、入力ノードであることを特徴とする請求項４４に記載のインフラストラクチャシステム。
【請求項４７】
電力ケーブルの特性の変化に適合するために、電力線の接続点における周波数シフトに適合されることを特徴とする請求項１に記載のインフラストラクチャシステム。
【請求項４８】
長尺ケーブル管にケーブルを侵入させ、かつガルバニック式又は非ガルバニック式のレピータ又はトランスポンダを挿入することができることを特徴とする請求項１に記載のインフラストラクチャシステム。
【請求項４９】
コモンモード干渉の特定、特徴付け及び消去に使用可能な、コモンモードエネルギーのためのサンプリングアンテナ又はサンプリングプローブを使用することにより、近くの発生源及び遠方の発生源のいずれかからのコモンモードノイズに対する能動的キャンセラレーションを使用して、各物理的地点における電磁波耐性特性を改善するように適合されていることを特徴とする請求項１に記載のインフラストラクチャシステム。
【請求項５０】
経済的であれば、アナログディジタル変換用ヘッドエンド装置及びアナログディジタル変換用ヘッドエンド装置のいずれかを、適切な数だけ前記インフラストラクチャシステムのいずれかの箇所に補助的に設置できるように適合されていることを特徴とする請求項１に記載のインフラストラクチャシステム。
【請求項５１】
レピータ又はトランスポンダの対への光ファイバ接続の対を使用することにより、
好適には、光学的な動力が与えられ、かつ少なくとも２つの中電圧導体上に共通のガルバニック絶縁によって別々に設けられ、かつまた絶縁ガルバニック又は非ガルバニック的に設けられた中電圧用非ガルバニック高周波接続を、組み込みできるように適合され、
差動と、低放射と、中電圧電力線だけでなく高電圧電力線に対する高い耐性のインタフェースを提供することを特徴とする請求項１に記載のインフラストラクチャシステム。